(57)【要約】【課題】患者の本人確認に係る作業を効率的に行うことが可能な情報処理装置及びプログラムを提供する。【解決手段】診察予定の患者に係る情報を表示手段に表示させる表示制御手段と、前記表示手段の表示面に対する操作を検出する検出手段と、前記検出手段が検出する操作位置に基づき、自装置を操作する患者の筆跡を取得する取得手段と、前記取得手段が取得した筆跡と、予め記憶された前記診察予定の患者の筆跡とに基づいて、前記患者の同一性を判定する判定手段と、前記判定手段の判定結果を出力する出力手段と、を備える。【選択図】図５
2014052814.tif 000002
【特許請求の範囲】
【請求項１】
診察予定の患者に係る情報を表示手段に表示させる表示制御手段と、
前記表示手段の表示面に対する操作を検出する検出手段と、
前記検出手段が検出する操作位置に基づき、自装置を操作する患者の筆跡を取得する取得手段と、
前記取得手段が取得した筆跡と、予め記憶された前記診察予定の患者の筆跡とに基づいて、前記患者の同一性を判定する判定手段と、
前記判定手段の判定結果を出力する出力手段と、
を備える情報処理装置。
【請求項２】
前記表示制御手段は、前記表示手段に署名欄を有した画面を表示させ、
前記検出手段は、前記署名欄に対する操作を検出する請求項１に記載の情報処理装置。
【請求項３】
前記出力手段は、前記判定手段で同一と判定された場合、患者の同一性が確認されたことを示す情報を出力する請求項１又は２に記載の情報処理装置。
【請求項４】
前記出力手段は、前記判定手段で非同一と判定された場合、患者の取り違いの可能性がある旨を示す情報を出力する請求項１〜３の何れか一項に記載の情報処理装置。
【請求項５】
前記表示制御手段は、前記表示手段に表示された前記情報に含まれる所定の入力項目を有した前記情報を前記表示手段に表示し、
前記検出手段は、前記判定手段で同一と判定されるまで、前記入力項目に対する入力操作を無効化する請求項１〜４の何れか一項に記載の情報処理装置。
【請求項６】
コンピュータを、
診察予定の患者に係る情報を表示手段に表示させる表示制御手段と、
前記表示手段の表示面に対する操作を検出する検出手段と、
前記検出手段が検出する操作位置に基づき、自装置を操作する患者の筆跡を取得する取得手段と、
前記取得手段が取得した筆跡と、予め記憶された前記診察予定の患者の筆跡とに基づいて、前記患者の同一性を判定する判定手段と、
前記判定手段の判定結果を出力する出力手段と、
をして機能させるためのプログラム。
【発明の詳細な説明】
【技術分野】
【０００１】
本発明の実施形態は、情報処理装置及びプログラムに関する。
【背景技術】
【０００２】
病院等の医療施設では、患者の取り違いを防ぐため、各患者の名前に基づいて本人確認が行われている。また、従来、人の思い込みによる医療ミスを防ぐため、患者の看護作業に用いる予定の使用物を、その患者に施す予定の看護計画と照合することで、施されようとしている看護作業が間違いないか否かを確認するための技術が提案されている。
【発明の概要】
【発明が解決しようとする課題】
【０００３】
ところで、同姓同名の患者が複数人存在するような場合、名前だけでは本人かどうかを確認することができないため、生年月日等の個人情報を患者に口頭で確認することが行われる。しかしながら、この確認方法では、プライバシーを配慮しながら確認する必要があるため、本人確認に係る作業が煩雑であるという問題があった。
【課題を解決するための手段】
【０００４】
実施の形態の情報処理装置は、表示制御手段と、検出手段と、取得手段と、判定手段と、出力手段とを備える。表示制御手段は、診察予定の患者に係る情報を表示手段に表示させる。検出手段は、前記表示手段の表示面に対する操作を検出する。取得手段は、前記検出手段が検出する操作位置に基づき、自装置を操作する患者の筆跡を取得する。判定手段は、前記取得手段が取得した筆跡と、予め記憶された前記診察予定の患者の筆跡とに基づいて、前記患者の同一性を判定する。出力手段は、前記判定手段の判定結果を出力する。
【図面の簡単な説明】
【０００５】
【図１】図１は、実施形態に係る病院内システムの全体構成を概略的に示す図である。
【図２】図２は、図１に示した病院内サーバの構成を例示する図である。
【図３】図３は、図２に示した患者情報データベースのデータ構成の一例を模式的に示す図である。
【図４】図４は、図１に示した端末装置の外観構成を例示する図である。
【図５】図５は、図１に示した端末装置の構成を例示する図である。
【図６】図６は、端末装置の表示部に表示された診察項目画面の一例を示す図である。
【図７】図７は、端末装置の表示部に表示されたエラー情報の一例を示す図である。
【図８】図８は、端末装置で行われる同一性確認処理の手順を示すフローチャートである。
【発明を実施するための形態】
【０００６】
以下に添付図面を参照して、実施形態にかかる情報処理装置及びプログラムの詳細を説明する。なお、本実施形態では、情報処理装置の一例として、看護師等の医療従事者が用いる携帯型の端末装置に適用した例について説明するが、この実施形態によりこの発明が限定されるものではない。
【０００７】
図１は、本実施形態に係る病院内システム１の全体構成を概略的に示す図である。同図に示すように、病院内システム１は、病院内サーバ１０と、端末装置２０とを有している。ここで、病院内サーバ１０と端末装置２０とは、有線又は無線のネットワークＮを介して通信可能に接続されている。なお、ネットワークＮに接続される端末装置２０の個数は特に問わないものとする。
【０００８】
図２は、病院内サーバ１０の構成を例示する図である。同図に示すように、病院内サーバ１０は、情報処理を実行するマイクロコンピュータとして、ＣＰＵ（Central  Processing  Unit）１１、ＲＯＭ（Read  Only  Memory）１２及びＲＡＭ（Random  Access  Memory）１３を備えている。
【０００９】
ＣＰＵ１１は、ＲＯＭ１２や後述する記憶部１６に記憶された各種プログラムを実行することにより、病院内サーバ１０の動作を統括的に制御する。ＲＯＭ１２は、基本動作を行うためのプログラムを記憶している。ＲＡＭ１３は、病院内サーバ１０の主記憶装置であって、ＣＰＵ１１のワークエリアとして機能する。
【００１０】
また、ＣＰＵ１１には、各種の入出力回路（図示せず）を介して、表示部１４及び入力部１５が接続されている。表示部１４は、ＬＣＤ（Liquid  Crystal  Display）等の表示デバイスであって、ＣＰＵ１１の指示に従い各種の情報を表示する。入力部１５は、キーボードやポインティングデバイス等の入力デバイスであって、操作者が操作した操作内容をＣＰＵ１１に出力する。
【００１１】
また、ＣＰＵ１１には、各種の入出力回路（図示せず）を介して、記憶部１６及び通信Ｉ／Ｆ１７が接続されている。
【００１２】
記憶部１６は、ＨＤＤ（Hard  Disk  Drive）やフラッシュメモリ等の記憶媒体であって、後述する各機能部を実現するための各種プログラム、当該プログラムの実行に係る各種ファイルを記憶している。記憶部１６に記憶されるファイルとしては、例えば、各患者に関する情報を記憶・管理する患者情報データベース１６１等が挙げられる。
【００１３】
図３は、患者情報データベース１６１のデータ構成の一例を模式的に示す図である。同図に示すように、患者情報データベース１６１は、各患者を識別する患者ＩＤと、当該患者の氏名、性別、生年月日等の個人情報と、当該患者の診察項目や診察結果等を記録した診察情報と、当該患者の照合用情報とを関連付け、患者情報として格納している。ここで、照合用情報は、来院当初や初診時等に患者により入力（自筆）されたサイン（筆跡）の特徴を示す情報であって、例えば、サインそのものを表す画像データ、或いは筆跡の特徴を示す筆跡情報の形態で格納されている。
【００１４】
なお、照合用情報に係るサインの取得方法は特に問わず、例えば、診察申込書等の用紙に手書きされた氏名をデジタルカメラ等で撮像することで取得する形態としてもよいし、タッチパネルやデジタイザ等の入力装置（例えば、後述する端末装置２０の入力部２３）を介して取得する形態としてもよい。また、サインとして入力される文字列は特に問わず、氏名やニックネーム等であってもよい。
【００１５】
図２に戻り、通信Ｉ／Ｆ１７は、端末装置２０とデータ通信を行うためのインタフェースである。ＣＰＵ１１は、通信Ｉ／Ｆ１７を用いて、端末装置２０との間で種々のデータを送受信する。
【００１６】
例えば、ＣＰＵ１１は、端末装置２０から特定の患者ＩＤを指定する取得要求を受け付けると、患者情報データベース１６１からその患者ＩＤに対応する患者のレコード（患者情報）を読み出し、端末装置２０に提供する。また、ＣＰＵ１１は、端末装置２０から特定の患者ＩＤを指定する登録要求を受け付けると、その患者ＩＤに対応する患者の患者情報を患者情報データベース１６１から検索し、この登録要求とともに端末装置２０から送信された診察結果を、検索した患者情報中の診察情報に追記する。
【００１７】
一方、端末装置２０は、医師や看護師等の医療従事者により携帯される携帯型の情報処理装置である。医療従事者は端末装置２０を用いて病院内サーバ１０にアクセスすることで、各患者の個人情報や診察情報等を参照することが可能となっている。
【００１８】
図４は、端末装置２０の外観構成を例示する図である。同図に示すように、端末装置２０は、薄板状の本体ハウジング２１を有している。本体ハウジング２１の操作面側には、液晶パネルや有機ＥＬパネル等で構成される表示部２２が設けられている。また、この表示部２２には、タッチパネルやデジタイザ等の入力部２３が積層して取り付けられている。なお、端末装置２０の外観構成は、図４の例に限らず、各種のボタンや、キーシート等の入力デバイスを備える構成としてもよい。
【００１９】
図５は、端末装置２０の構成を例示する図である。同図に示すように、端末装置２０は、情報処理を実行するマイクロコンピュータとして、ＣＰＵ２０１、ＲＯＭ２０２及びＲＡＭ２０３を備えている。
【００２０】
ＣＰＵ２０１は、ＲＯＭ２０２や後述する記憶部２０４に記憶された各種プログラムを実行することにより、端末装置２０の動作を統括的に制御する。ＲＯＭ２０２は、基本動作を行うためのプログラムを記憶している。ＲＡＭ２０３は、端末装置２０の主記憶装置であって、ＣＰＵ２０１のワークエリアとして機能する。
【００２１】
また、ＣＰＵ２０１には、各種の入出力回路（図示せず）を介して、上記した表示部２２及び入力部２３が接続されている。表示部２２は、ＣＰＵ２０１の指示に従い各種の情報を表示する。入力部２３は、表示部２２の表示面に対する指やデジタイザペン、スタイラス等を用いた操作入力を受け付け、その入力内容をＣＰＵ２０１に出力する。ここで、入力部２３が受け付ける操作入力としては、例えば、表示部２２に表示されるアイコンや操作ボタン、文字キーに対する押下操作の他、手書き文字等が挙げられる。
【００２２】
また、ＣＰＵ２０１には、各種の入出力回路（図示せず）を介して、記憶部２０４及び通信Ｉ／Ｆ２０５が接続されている。
【００２３】
記憶部２０４は、ＨＤＤ（Hard  Disk  Drive）やフラッシュメモリ等の記憶媒体であり、ＣＰＵ２０１により実行される各種プログラムや、当該プログラムの実行に係る各種設定情報を記憶している。通信Ｉ／Ｆ２０５は、図示しない外部装置との間のデータ通信を行うためのインタフェースである。ＣＰＵ２０１は、この通信Ｉ／Ｆ２０５を制御し、病院内サーバ１０との間で、取得要求や登録要求等の種々のデータを送受信する。
【００２４】
次に、図５を参照して、端末装置２０の機能構成について説明する。図５に示すように、端末装置２０のＣＰＵ２０１は、ＲＯＭ２０２や記憶部２０４に記憶されたプログラムとの協働により、患者情報取得部２１１と、表示制御部２１２と、操作検出部２１３と、同一性判定部２１４と、出力処理部２１５とを機能部として実現させる。
【００２５】
患者情報取得部２１１は、入力部２３を介して特定の患者ＩＤが入力されると、この患者ＩＤを含んだ取得要求を病院内サーバ１０に送信する。また、患者情報取得部２１１は、取得要求の送信により病院内サーバ１０から提供された患者情報を、診察予定の患者の患者情報として取得すると、当該患者情報をＲＡＭ２０３等に一時記憶する。
【００２６】
表示制御部２１２は、患者情報取得部２１１により取得された診察予定の患者の患者情報に基づき、この患者情報に含まれる個人情報や診察情報を表示部２２に表示する。例えば、表示制御部２１２は、診察情報に含まれる診察項目を、入力可能な形態で表示する。
【００２７】
図６は、端末装置２０の表示部２２に表示された診察項目画面の一例を示す図である。同図において、領域Ａ１１は、患者の氏名や年齢、性別等の個人情報を表示するための領域である。領域Ａ１２は、この患者の診察項目を表示するための領域である。図６では、この患者の診察項目として、血圧の測定と体温の測定とが存在することを示している。各診察項目の測定が行われた場合には、その測定結果（診察結果）が入力部２３を介して領域Ａ１２ａ、Ａ１２ｂに入力される。
【００２８】
また、領域Ａ１３は、患者の署名欄である。領域Ａ１３には、表示部２２に表示された個人情報や上記診察項目の診察結果が患者により確認された後、当該患者のサインが入力部２３を介して入力される。ここで、入力されるサインは、来院当初や初診時等に患者自身により入力されたサインと同内容（例えば、氏名）であることが好ましいが、これに限らないものとする。
【００２９】
なお、図６では、診察項目の表示例について説明したが、表示部２２に表示される画面はこれに限らず、例えば、同意書や処方箋等の確認画面についても、上記署名欄を設けて表示することが好ましい。
【００３０】
図５に戻り、操作検出部２１３は、入力部２３から入力される入力内容に基づき、表示部２２の表示面に対する操作内容を検出する。具体的に、操作検出部２１３は、表示制御部２１２と協働することで、表示部２２に表示された画面（ＧＵＩ）に対する操作内容を検出する。
【００３１】
例えば、操作検出部２１３は、図６に示した領域Ａ１２ａ、Ａ１２ｂに文字（数値）が入力されたことを検知すると、それらの数値を、対応する診察項目の診察結果（血圧、体温）として取得する。また、操作検出部２１３は、入力部２３が逐次検出する操作位置に基づき、図６に示した署名欄に患者の筆跡が入力されたことを検知すると、その筆跡を自装置を操作する患者のサインとして取得する。
【００３２】
同一性判定部２１４は、操作検出部２１３が取得した署名欄（図６の領域Ａ１３参照）に対するサインの特徴と、患者情報取得部２１１が取得した患者情報に含まれる照合用情報の特徴とを、公知の筆跡鑑定技術等を用いて照合する。また、同一性判定部２１４は、両サインの照合結果から、そのサインを書いた患者が同一人であるか否かを判定する。
【００３３】
出力処理部２１５は、同一性判定部２１４での判定結果に基づき、この判定結果に応じた情報を出力する。
【００３４】
具体的に、出力処理部２１５は、同一性判定部２１４での判定結果が同一人であった場合、患者の同一性が確認されたことを示す情報を出力する。例えば、図６に示した診察項目画面の場合、同一性判定部２１４での判定結果が同一人であったとすると、出力処理部２１５は、操作検出部２１３が取得した各診察項目に対する診察結果（領域Ａ１２ａ及び領域Ａ１２ｂへの入力情報）と、この患者の患者ＩＤとを含んだ登録要求を、患者の同一性が確認されたことを示す情報として病院内サーバ１０に送信（出力）する。なお、自装置の表示部２２に患者の同一性が確認されたことを示す情報を表示出力する形態としてもよい。
【００３５】
また、出力処理部２１５は、同一性判定部２１４での判定結果が非同一人であった場合、患者の非同一性を示すエラー情報を表示部２２に表示出力する。ここで、図７は、端末装置２０の表示部２２に表示されたエラー情報の一例を示す図である。同一性判定部２１４での判定結果が非同一人であった場合、患者を取り違えて診察してしまった可能性がある。そのため、図７では、患者の取り違えの可能性がある旨をエラー情報Ｅ１１として表示した例を示している。
【００３６】
このように、本実施形態の端末装置２０では、来院当初や初診時等に入力されたサイン（照合用情報）と、その後の診察時に入力されるサインとの特徴を照合することで、患者の同一性を判定する。そして、患者の非同一性（非同一人）が確認された場合には、その旨を示すエラー情報を表示することで、医療従事者に患者の取り違えが発生している可能性があることを報知する。これにより、例えば、同性同名の患者が複数人存在するような場合であっても、患者を取り違えてしまうことを防ぐことができるため、医療作業を安全且つ円滑に進めることができる。
【００３７】
以下、図８を参照して、端末装置２０の動作について説明する。ここで、図８は、端末装置２０で行われる同一性確認処理の手順を示すフローチャートである。なお、本処理では、図６に示した診察項目画面を用いた例について説明する。
【００３８】
まず、患者情報取得部２１１は、入力部２３を介して入力された患者ＩＤに基づき、この患者ＩＤに対応する患者の患者情報を病院内サーバ１０から取得する（ステップＳ１１）。表示制御部２１２は、ステップＳ１１で取得された患者情報に含まれる個人情報及び診察情報に基づき、図６に示した診察項目画面を表示部２２に表示する（ステップＳ１２）。
【００３９】
操作検出部２１３は、ステップＳ１２で表示された診察項目画面の署名欄に患者のサインが入力されるまで待機する（ステップＳ１３；Ｎｏ）。ここで、署名欄にサインが入力されると（ステップＳ１３；Ｙｅｓ）、操作検出部２１３はそのサインを、自装置を操作する患者の筆跡として取得する（ステップＳ１４）。
【００４０】
続いて、同一性判定部２１４は、ステップＳ１４で取得されたサインの特徴と、ステップＳ１１で取得された患者情報に含まれる照合用情報の特徴とを照合し（ステップＳ１５）、この照合結果から、これらのサインを書いた患者が同一人であるか否かを判定する（ステップＳ１６）。
【００４１】
ステップＳ１６において、サインを書いた患者が同一人と判定された場合（ステップＳ１６；Ｙｅｓ）、出力処理部２１５は、患者の同一性が確認されたことを示す情報として、その患者の患者ＩＤと診察項目画面に入力された診察結果とを含む登録要求を、病院内サーバ１０に送信し（ステップＳ１７）、処理を終了する。なお、ステップＳ１７の処理に伴い、病院内サーバ１０では、端末装置２０から送信された患者ＩＤに対応する患者の患者情報（診察情報）に、診察結果が追記される。
【００４２】
また、ステップＳ１６において、サインを書いた患者が非同一人と判定された場合（ステップＳ１６；Ｎｏ）、出力処理部２１５は、患者の非同一性を示すエラー情報を表示部２２に表示し（ステップＳ１８）、本処理を終了する。
【００４３】
以上のように、本実施形態によれば、患者のサイン（筆跡）に基づき、患者の同一性を確認することができるため、例えば、同性同名の患者が複数人存在するような場合であっても、患者の取り違えを防ぐことができる。また、患者の個人情報を口頭で確認することなく、患者の同一性を確認することができるため、患者のプライバシーを考慮しつつ、効率的な同一性確認を行うことができる。
【００４４】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００４５】
例えば、上記実施形態では、診察項目の測定後に署名欄に患者のサインを入力させる形態としたが（図６参照）、これに限らず、診察項目の測定を行う前に署名欄に入力させる
形態としてもよい。この形態を採用した場合、診察が行われる前に、患者の同一性を確認することができるため、患者を取り違えて診察が行われてしまうことを未然に防ぐことができる。また、この形態を採用する場合、表示制御部２１２と操作検出部２１３との協働により、患者の同一性が確認されるまで、署名欄を除く入力項目（診察項目等）に対する入力操作を無効化することで、サイン以外の入力が行われないよう制御してもよい。また、この場合、患者の同一性確認時に病院内サーバ１０への情報出力は行わず、患者の同一性が確認されたことを示す情報を、端末装置２０の表示部２２に表示することが好ましい。
【００４６】
また、上記実施形態では、端末装置２０が、同一性判定部２１４を備える形態としたが、これに限らず、病院内サーバ１０が同一性判定部２１４を備える形態としてもよい。この形態を採用する場合、端末装置２０の操作検出部２１３が、入力部２３を介して入力された患者のサインを、画像データ又は筆跡等の特徴を示す情報として病院内サーバ１０に送信し、病院内サーバ１０の同一性判定部２１４が、対応する患者ＩＤの照合用情報と照合することで患者の同一性を判定するよう構成すればよい。また、端末装置２０の出力処理部２１５は、病院内サーバ１０の同一性判定部２１４から送信される判定結果に基づき、その判定結果に応じた情報を出力するよう構成すればよい。
【００４７】
また、上記実施形態の端末装置２０で実行されるプログラムは、端末装置２０が備える記憶媒体（ＲＯＭ２０２は記憶部２０４）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００４８】
また、上記実施形態の端末装置２０で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００４９】
１  病院内システム
１０  病院内サーバ
１６１  患者情報データベース
２０  端末装置
２２  表示部
２３  入力部
２０１  ＣＰＵ
２０２  ＲＯＭ
２０３  ＲＡＭ
２０４  記憶部
２０５  通信Ｉ／Ｆ
２１１  患者情報取得部
２１２  表示制御部
２１３  操作検出部
２１４  同一性判定部
２１５  出力処理部
Ｎ  ネットワーク
【先行技術文献】
【特許文献】
【００５０】
【特許文献１】特開２００２−２４３７６号公報
【図１】
2014052814.tif 000003
【図２】
2014052814.tif 000004
【図３】
2014052814.tif 000005
【図４】
2014052814.tif 000006
【図５】
2014052814.tif 000007
【図６】
2014052814.tif 000008
【図７】
2014052814.tif 000009
【図８】
2014052814.tif 000010